【手続補正書】
【提出日】平成25年2月5日(2013.2.5)
【手続補正１】
【補正対象書類名】明細書
【補正対象項目名】０００７
【補正方法】変更
【補正の内容】
【０００７】
上記目的を達成するため、本発明の一態様の画像処理装置は、
光学系を介して輝度成分及び色成分を含む画像データを取得する画像データ取得手段と、
前記画像データに含まれる輝度成分のシェーディング、及び、色差成分のシェーディングをそれぞれ検出するシェーディング検出手段と、
前記シェーディング検出手段によって検出された輝度成分のシェーディングに基づいて、その輝度成分のシェーディングを補正するための輝度シェーディング補正係数を算出する輝度シェーディング補正係数算出手段と、
前記シェーディング検出手段によって検出された色差成分のシェーディングに基づいて、その色差成分のシェーディングを補正するための色差シェーディング補正係数を算出する色差シェーディング補正係数算出手段と、
前記色差シェーディング補正係数算出手段によって算出された色差シェーディング補正係数を、前記輝度シェーディング補正係数算出手段によって算出された輝度シェーディング補正係数に対する所定の比になるように変換する変換手段と、
前記画像データ取得手段に対し、露光条件を変更しつつ複数の画像データを取得するよう制御する第１の取得制御手段と、
前記第１の取得制御手段によって取得されたこれらの画像を前記変換手段によって変換された色差シェーディング補正係数に基づいて補正する第１の補正手段と、 
前記第１の補正手段によって補正されたこれらの画像を画素加算する画素加算手段と、
を備えることを特徴とする。
【手続補正２】
【補正対象書類名】特許請求の範囲
【補正対象項目名】全文
【補正方法】変更
【補正の内容】
【特許請求の範囲】
【請求項１】
光学系を介して輝度成分及び色成分を含む画像データを取得する画像データ取得手段と、
前記画像データに含まれる輝度成分のシェーディング、及び、色差成分のシェーディングをそれぞれ検出するシェーディング検出手段と、
前記シェーディング検出手段によって検出された輝度成分のシェーディングに基づいて、その輝度成分のシェーディングを補正するための輝度シェーディング補正係数を算出する輝度シェーディング補正係数算出手段と、
前記シェーディング検出手段によって検出された色差成分のシェーディングに基づいて、その色差成分のシェーディングを補正するための色差シェーディング補正係数を算出する色差シェーディング補正係数算出手段と、
前記色差シェーディング補正係数算出手段によって算出された色差シェーディング補正係数を、前記輝度シェーディング補正係数算出手段によって算出された輝度シェーディング補正係数に対する所定の比になるように変換する変換手段と、
前記画像データ取得手段に対し、露光条件を変更しつつ複数の画像データを取得するよう制御する第１の取得制御手段と、
前記第１の取得制御手段によって取得されたこれらの画像を前記変換手段によって変換された色差シェーディング補正係数に基づいて補正する第１の補正手段と、 
前記第１の補正手段によって補正されたこれらの画像を画素加算する画素加算手段と、
を備えることを特徴とする画像処理装置。
【請求項２】
撮影モードを設定する撮影モード設定手段を更に備え、
前記第１の取得制御手段は、前記撮影モード設定手段によりダイナミックレンジ拡大させた画像を撮影するモードの設定が検出された場合に、前記画像データ取得手段に対し、露光条件を変更しつつ複数の画像データを取得するよう制御することを特徴とする請求項１に記載の画像処理装置。
【請求項３】
前記撮影モード設定手段により一枚の画像を撮影するモードの設定が検出された場合に、前記画像データ取得手段に対し、一枚の画像データを取得するよう制御する第２の取得制御手段と、
前記輝度シェーディング補正係数算出手段によって算出された輝度シェーディング補正係数、及び、前記色差シェーディング補正係数算出手段により算出された色差シェーディング補正係数に基づいて、前記第２の取得制御手段による取得された画像データを補正する第２の補正手段と、
を更に備えることを特徴とする請求項２に記載の画像処理装置。
【請求項４】
前記画像データにおける輝度成分とは、赤色、緑色及び青色の色成分によって表されたＲＧＢ画像データにおける緑色成分の画像データであることを特徴とする請求項１乃至３の何れか１項に記載の画像処理装置。
【請求項５】
前記画像データにおける輝度成分は、赤色及び緑色の色成分の画像データを取得するＧＲラインと、緑色及び青色の色成分の画像データを取得するＧＢラインとが交互に配列されたイメージセンサによって取得された画像データのうち、ＧＲラインにおける緑色の色成分の画像データ及びＧＢラインにおける青色の色成分の画像データであることを特徴とする請求項１乃至４の何れか１項に記載の画像処理装置。
【請求項６】
画像データ取得手段が取得した画像データに含まれる輝度成分のシェーディング、及び、色差成分のシェーディングをそれぞれ検出するシェーディング検出ステップと、
前記シェーディング検出ステップにて検出された輝度成分のシェーディングに基づいて、その輝度成分のシェーディングを補正するための輝度シェーディング補正係数を算出する輝度シェーディング補正係数算出ステップと、
前記シェーディング検出ステップにて検出された色差成分のシェーディングに基づいて、その色差成分のシェーディングを補正するための色差シェーディング補正係数を算出する色差シェーディング補正係数算出ステップと、
前記色差シェーディング補正係数算出ステップにて算出された色差シェーディング補正係数を、前記輝度シェーディング補正係数算出ステップによって算出された輝度シェーディング補正係数に対する所定の比になるように変換する変換ステップと、
前記画像データ取得手段に対し、露光条件を変更しつつ複数の画像データを取得するよう制御する取得制御ステップと、
前記取得制御ステップにて取得されたこれらの画像を前記変換ステップにて変換された色差シェーディング補正係数に基づいて補正する補正ステップと、 
前記補正ステップにて補正されたこれらの画像を画素加算する画素加算ステップと、
を含むことを特徴とする画像処理方法。
【請求項７】
コンピュータを、
画像データ取得手段が取得した画像データに含まれる輝度成分のシェーディング、及び、色差成分のシェーディングをそれぞれ検出するシェーディング検出手段、
前記シェーディング検出手段によって検出された輝度成分のシェーディングに基づいて、その輝度成分のシェーディングを補正するための輝度シェーディング補正係数を算出する輝度シェーディング補正係数算出手段、
前記シェーディング検出手段によって検出された色差成分のシェーディングに基づいて、その色差成分のシェーディングを補正するための色差シェーディング補正係数を算出する色差シェーディング補正係数算出手段、
前記色差シェーディング補正係数算出手段によって算出された色差シェーディング補正係数を、前記輝度シェーディング補正係数算出手段によって算出された輝度シェーディング補正係数に対する所定の比になるように変換する変換手段、
前記画像データ取得手段に対し、露光条件を変更しつつ複数の画像データを取得するよう制御する取得制御手段、
前記取得制御手段によって取得されたこれらの画像を前記変換手段によって変換された色差シェーディング補正係数に基づいて補正する補正手段、 
前記補正手段によって補正されたこれらの画像を画素加算する画素加算手段、
として機能させることを特徴とするプログラム。